(57)【要約】      （修正有）【課題】本発明は雌コネクタのボディの一部が脱方向に脱落する可能性を低減する。【解決手段】雌コネクタは、接続穴１０１を有するボディと、シール２００とを備えている。ボディの第１ボディ１００ａは第１、第２収容部１１０ａ、１２０ａを有する。第１収容部１１０ａは接続穴１０１の一部であって、シール２００が接続穴１０１内に挿入された雄コネクタにＹ−Ｙ’方向に直交する方向から密着するようにシール２００を収容している。ボディ１００の第２ボディ１００ｂは第２収容部１２０ａ内にＺ方向側から挿入され、第１ボディ１００ａにＹ−Ｙ’方向において位置固定されている。第２ボディ１００ｂの貫通孔１１０ｂは接続穴１０１の第１収容部１１０ａよりＹ’方向側の部分である。第２ボディ１００ｂの当て止め部はシール２００のＹ’方向側（脱方向側）に位置している。【選択図】図２Ａ
2018156853.tif 000002
【特許請求の範囲】
【請求項１】
雄コネクタが第１方向において挿脱可能な接続穴を有するボディと、
シールとを備えており、
前記第１方向の一方は前記雄コネクタの前記ボディに対する挿入方向であり、前記第１方向の他方は前記雄コネクタの前記ボディに対する脱方向であり、
前記ボディは、第１ボディおよび第２ボディを有しており、
前記第１ボディは、前記接続穴の一部であって、前記シールが前記接続穴内に挿入された前記雄コネクタに前記第１方向に直交する方向から密着するように当該シールを収容する第１収容部と、
前記第１ボディの前記第１収容部よりも前記第１方向の他方側の部分に設けられた空間である第２収容部とを有しており、
前記第２ボディは、前記第２収容部内に前記第１方向に交差する第２方向の一方側から挿入され、前記第１ボディによって前記第１方向において位置固定されており、
前記第２ボディは、前記接続穴の前記第１収容部より前記第１方向の他方側に位置する部分であって、当該第２ボディを前記第１方向に貫通した貫通孔と、
前記シールの前記第１方向の他方側に位置する当て止め部とを有している雌コネクタ。
【請求項２】
請求項１記載の雌コネクタにおいて、
前記シールは、その内側に前記雄コネクタが挿入される環状体であり、または、複数であって、その内側に前記雄コネクタが挿入されるように前記第１収容部内に環状に配置されており、
前記第２ボディは、前記貫通孔の周壁をさらに有しており、
前記当て止め部は、前記第２ボディの前記周壁に設けられている雌コネクタ。
【請求項３】
請求項１または２記載の雌コネクタにおいて、
前記第１ボディは、第１当接部をさらに有しており、
前記第１当接部は、前記第２収容部よりも前記第１方向の他方側に位置しており、且つ前記第２収容部に収容された前記第２ボディに前記第１方向の他方側から当接している雌コネクタ。
【請求項４】
請求項３記載の雌コネクタにおいて、
前記第１ボディは、第２当接部をさらに有しており、
前記第２当接部は、前記第２収容部よりも前記第１方向の一方側に位置しており、且つ前記第２収容部に収容された前記第２ボディに前記第１方向の一方側から当接しており、
前記第２当接部が前記接続穴内に挿入された前記雄コネクタを前記第２ボディの前記第１方向の一方側で保持可能であり且つ前記第１当接部が当該雄コネクタを前記第２ボディの前記第１方向の他方側で保持可能になっている雌コネクタ。
【請求項５】
請求項１〜４の何れかに記載の雌コネクタにおいて、
前記第２ボディは、前記貫通孔に隣接配置されており且つ前記接続穴内に挿入された前記雄コネクタに係合する係合部とをさらに有している雌コネクタ。
【請求項６】
請求項１〜５の何れかに記載の雌コネクタにおいて、
前記第１ボディは、前記接続穴内に挿入された前記雄コネクタに係合する係合部をさらに有している雌コネクタ。
【請求項７】
請求項１〜６の何れかに記載の雌コネクタにおいて、
前記第２ボディは、前記貫通孔の周壁をさらに有しており、
前記貫通孔の前記周壁には、前記第１方向に延びたガイド部が設けられており、前記ガイド部は、前記雄コネクタのガイド溝に挿入可能なガイド凸部、または前記雄コネクタのガイド凸部が挿入可能なガイド溝である雌コネクタ。
【発明の詳細な説明】
【技術分野】
【０００１】
本発明は、雌コネクタに関する。
【背景技術】
【０００２】
下記特許文献１には、従来の雌コネクタが記載されている。この雌コネクタは、ボディと、複数の端子と、シールとを備えている。ボディは、ボディ本体と、保持部材とを有している。ボディ本体は、端子が収容される端子収容部と、この端子収容部を囲う筒状のフード部とを有している。このフード部内に雄コネクタが嵌合し、雄コネクタの端子が端子収容部内の端子に各々接続される（以下、接続状態と称する。）。シールはゴムリングであって、端子収容部に前方から外嵌し且つフード部内に配置されている。保持部材は、端子収容部に前方から外嵌し、端子収容部の溝に係合され且つフード部内でシールに当接している。この保持部材の当接によって、シールが前方へ脱落するのを防いでいる。なお、雄コネクタのフード部に対する挿脱方向は、雄コネクタのフード部に対する挿入方向および脱方向を含み、脱方向が「前方」に相当している。
【先行技術文献】
【特許文献】
【０００３】
【特許文献１】特開２００３-２７２７５０号公報
【発明の概要】
【発明が解決しようとする課題】
【０００４】
上記接続状態で、シールの外周面は、雄コネクタに密着するため、雄コネクタが脱方向に引っ張られると、シールおよび保持部材に対して脱方向に荷重がかかる。保持部材およびシールは、挿脱方向に沿って端子収容部に順次取り付けられているので、脱方向に荷重がかかると、保持部材が端子収容部から脱落する可能性がある。
【０００５】
本発明は、上記事情に鑑みて創案されたものであって、その目的とするところは、雌コネクタのボディの一部が脱方向に脱落する可能性を低減することにある。
【課題を解決するための手段】
【０００６】
上記課題を解決するために、本発明の雌コネクタは、雄コネクタが第１方向において挿脱可能な接続穴を有するボディと、少なくとも一つのシールとを備えている。第１方向の一方は雄コネクタのボディに対する挿入方向であり、第１方向の他方は雄コネクタのボディに対する脱方向である。ボディは、第１ボディおよび第２ボディを有している。第１ボディは、第１収容部および第２収容部を有している。第１収容部は、接続穴の一部であって、シールが接続穴内に挿入された雄コネクタに第１方向に直交する方向から密着するようにシールを収容している。第２収容部は、第１ボディの第１収容部よりも第１方向の他方側の部分に設けられた空間である。第２ボディは、第２収容部内に第１方向に交差する第２方向の一方側から挿入され、第１ボディによって第１方向において位置固定されている。第２ボディは、貫通孔と、当て止め部を有している。貫通孔は、接続穴の第１収容部より第１方向の他方側に位置する部分であって、第２ボディを前記第１方向に貫通している。当て止め部はシールの第１方向の他方側に位置している。
【０００７】
このような態様の雌コネクタは、第２ボディが第１方向の他方（脱方向）に脱落する可能性を低減できる。その理由は以下のとおりである。第２ボディの当て止め部は、シールに対して第１方向の他方側に位置している。この第２ボディは、第２収容部内に第２方向の一方側から挿入され且つ第１ボディによって第１方向に位置固定されているので、雄コネクタが接続穴に接続された状態から第１方向の他方へ移動され、シールに第１方向の他方の荷重がかかったとしても、シールおよび第２ボディの第１方向の他方（脱方向）の移動が第１ボディによって規制される。
【０００８】
少なくとも一つのシールは、環状体とすることが可能である。または、少なくとも一つのシールは複数であって、第１収容部内に環状に配置された構成とすることが可能である。何れの場合も、シールの内側に雄コネクタが挿入される構成とすることが可能である。第２ボディは、貫通孔の周壁をさらに有する構成とすることが可能である。当て止め部は、第２ボディの周壁に設けられた構成とすることが可能である。
【０００９】
このような態様の雌コネクタによる場合、第２ボディの当て止め部を少なくとも一つのシールの第１方向の他方側に容易に配置できる。その理由は以下のとおりである。当て止め部が第２ボディの貫通孔の周壁に設けられているので、第２ボディを第１ボディの第２収容部内に第２方向の一方側から挿入させるだけで、第２ボディの当て止め部が少なくとも一つのシールの第１方向の他方側に配置される。
【００１０】
第１ボディは、第１当接部をさらに有する構成とすることが可能である。第１当接部は、第２収容部よりも第１方向の他方側に位置しており、且つ第２収容部に収容された第２ボディに第１方向の他方側から当接した構成とすることが可能である。このような態様の雌コネクタによる場合、第１ボディの第１当接部が第１方向の他方側から第２ボディに当接しているので、第２ボディが第１ボディから第１方向の他方に脱落する可能性が低減される。
【００１１】
第１ボディは、第２当接部をさらに有する構成とすることが可能である。第２当接部は、第２収容部よりも第１方向の一方側に位置しており、且つ第２収容部に収容された第２ボディに第１方向の一方側から当接した構成とすることが可能である。
【００１２】
第２当接部は、接続穴内に挿入された雄コネクタを第２ボディの第１方向の一方側で保持可能な構成とすることが可能である。第１当接部は、当該雄コネクタを第２ボディの第１方向の他方側で保持可能な構成とすることが可能である。
【００１３】
このような態様の雌コネクタによる場合、雄コネクタが接続穴内に挿入された状態でこじられた場合（雄コネクタを第１方向に交差する方向に移動するように操作された場合）、当該雄コネクタの移動により第１、第２ボディに負荷がかかる。しかし、第２ボディの第１方向の一方および他方側で、第１ボディの第１当接部および第２当接部が、雄コネクタを各々保持するので、当該負荷が第１当接部および第２当接部に分散し、第２ボディにかかる負荷が軽減される。
【００１４】
第２ボディは、係合部をさらに有する構成とすることが可能である。係合部は、貫通孔に隣接配置されており且つ接続穴内に挿入された雄コネクタに係合する構成とすることが可能である。
【００１５】
このような態様の雌コネクタは、第１方向の他方への引っ張り強度が向上する。上記のとおり第１ボディに第１方向において位置固定された第２ボディに係合部が設けられているためである。
【００１６】
第１ボディは、係合部をさらに有する構成とすることが可能である。この係合部は、接続穴内に挿入された雄コネクタに係合可能な構成とすることが可能である。
【００１７】
このような態様の雌コネクタによる場合、第１ボディに係合部が設けられているため、雄コネクタが第１方向の他方に移動したとしても、当該移動により生じる荷重が第２ボディにかからない。
【００１８】
貫通孔の周壁には、第１方向に延びたガイド部が設けられた構成とすることが可能である。ガイド部は、雄コネクタのガイド溝に挿入可能なガイド凸部、または、雄コネクタのガイド凸部が挿入可能なガイド溝とすることも可能である。
【００１９】
このような態様のコネクタによる場合、第２ボディにガイド部が設けられているため、第２ボディを交換するだけで、異なる雄コネクタのガイド凸部またはガイド溝に対応できる。
【図面の簡単な説明】
【００２０】
【図１】本発明の実施例１に係る雌コネクタの正面、平面および右側面から表した斜視図である。
【図２Ａ】前記雌コネクタの図１中の２Ａ−２Ａ断面図である。
【図２Ｂ】前記雌コネクタの図１中の２Ｂ−２Ｂ断面図である。
【図２Ｃ】前記雌コネクタの図１中の２Ｃ−２Ｃ断面図である。
【図２Ｄ】前記雌コネクタの図１中の２Ｄ−２Ｄ断面図である。
【図２Ｅ】前記雌コネクタの図１中の２Ｅ−２Ｅ断面図である。
【図３】前記雌コネクタの第１ボディの正面、平面および左側面から表した斜視図である。
【図４Ａ】前記雌コネクタの第２ボディの正面、底面および左側面から表した斜視図である。
【図４Ｂ】前記雌コネクタの第２ボディの背面、平面および左側面から表した斜視図である。
【図５】本発明の実施例１に係る雌コネクタと雄コネクタとの接続状態を示す図２Ｄに対応する断面図である
【発明を実施するための形態】
【００２１】
以下、本発明の実施例１を含む複数の実施例に係る雌コネクタＣ１について図１〜図５を参照しつつ説明する。図１〜図５には、実施例１に係る雌コネクタＣ１が示されており、図５には実施例１に係る雌コネクタＣ１および雄コネクタＣ２の接続状態が示されている。なお、図１〜図２Ｄに示すＹ−Ｙ’方向は、雄コネクタＣ２の雌コネクタＣ１の接続穴１０１に対する挿脱方向であり且つ特許請求の範囲の第１方向に相当する。Ｙ−Ｙ’方向のうちのＹ方向は、雄コネクタＣ２の雌コネクタＣ１の接続穴１０１に対する挿入方向であり且つ第１方向の一方に相当し、Ｙ’方向は雄コネクタＣ２の雌コネクタＣ１の接続穴１０１に対する脱方向であり且つ第１方向の他方に相当する。図１〜図２Ａおよび図２Ｄ〜図２Ｅに示すＺ−Ｚ’方向は、Ｙ−Ｙ’方向に直交する方向であり且つ特許請求の範囲の第２方向の他方に相当する。Ｚ−Ｚ’方向のうちのＺ方向は第２方向の一方に相当し、Ｚ’方向は第２方向の他方に相当する。図１、図２Ｂ、図２Ｃおよび図２Ｅに示すＸ−Ｘ’方向は、Ｙ−Ｙ’方向およびＺ−Ｚ’方向に直交する方向である。
【００２２】
雌コネクタＣ１は、ボディ１００と、少なくとも一つのシール２００とを備えている。ボディ１００は、雄コネクタＣ２がＹ−Ｙ’方向において挿脱可能な接続穴１０１を有している。また、ボディ１００は、絶縁樹脂で構成された第１ボディ１００ａおよび第２ボディ１００ｂを有している。
【００２３】
第１ボディ１００ａは、第１収容部１１０ａと、第２収容部１２０ａと、第１当接部１３０ａと、第２当接部１４０ａとを有している。第２収容部１２０ａは、第１ボディ１００ａの第１収容部１１０ａよりもＹ’方向側の部分に設けられた空間である。より具体的には、第２収容部１２０ａは、第１当接部１３０ａおよび第２当接部１４０ａによって区画される空間とすることが可能である。例えば、第２収容部１２０ａは、図１〜図３に示されるようにＺ−Ｚ’方向に延び且つ少なくともＺ方向に開放された有底穴とすることが可能である。または、第２収容部１２０ａは、第１ボディ１００ａをＺ−Ｚ’方向に貫通する貫通孔とすることも可能である。何れの場合も、第２収容部１２０ａ内に第２ボディ１００ｂがＺ方向側から挿入され、第１ボディ１００ａによってＹ−Ｙ’方向において位置固定されている。第２ボディ１００ｂは第２収容部１２０ａに対して挿脱可能とすることが可能であるが、第２収容部１２０ａに一度固定すると取り外せない構成とすることも可能である。
【００２４】
第１当接部１３０ａは、第２収容部１２０ａよりもＹ’方向側に位置しており且つ第２収容部１２０ａに収容された第２ボディ１００ｂにＹ’方向側から当接している。この第１当接部１３０ａにより、第２ボディ１００ｂはＹ’方向への移動が規制されている。第２当接部１４０ａは、第２収容部１２０ａよりもＹ方向側に位置しており且つ第２収容部１２０ａに収容された第２ボディ１００ｂにＹ方向側から当接している。この第２当接部１４０ａにより、第２ボディ１００ｂはＹ方向への移動が規制されている。第１当接部１３０ａおよび第２当接部１４０ａは、前述のとおり第２ボディ１００ｂに当接するものであれば良く、例えば、それぞれが壁（図１Ａ〜図３参照）、凸部または爪等とすることができる。
【００２５】
第１収容部１１０ａは、第１ボディ１００ａの第２収容部１２０ａよりもＹ方向側の部分に設けられた接続穴１０１の一部（穴）であって、Ｙ’方向に開放されている。例えば、第２当接部１４０ａが壁である場合、第１収容部１１０ａは、図２Ａ〜図３に示されるように第２当接部１４０ａに設けられていても良いが、これに限定されるものではない。第１収容部１１０ａは、図２Ａ〜図３に示されるように第２収容部１２０ａに直接連通していても良いが、これに限定されるものではない。例えば、第１収容部１１０ａと第２収容部１２０ａとの間に接続穴１０１の一部を構成する穴が存在する場合、第１収容部１１０ａは、前記穴を通じて第２収容部１２０ａに間接的に連通している。第１収容部１１０ａは、円環状または多角環状の周壁面１１１ａを有している。
【００２６】
少なくとも一つのシール２００は、シリコンゴム等の弾性体で構成されており且つ接続穴１０１内に挿入された雄コネクタＣ２の先端部Ｃ２１にＹ−Ｙ’方向に直交する方向から密着するように第１収容部１１０ａ内に収容されている。例えば、少なくとも一つのシール２００は、下記の１）または２）の構成とすることが可能である。
１）少なくとも一つのシール２００は、円環状（図２Ａ〜図２Ｅ参照）または多角環状とすることが可能である。この場合、シール２００の外形寸法は、第１収容部１１０ａの外形寸法と略同じまたは若干大きい。これにより、シール２００の外周面が第１収容部１１０ａの周壁面１１１ａに密着している。シール２００の内形寸法は、雄コネクタＣ２の先端部Ｃ２１の外形寸法と略同じまたは若干大きい。このため、図５に示されるようにシール２００内に雄コネクタＣ２の先端部Ｃ２１が挿入可能であり、且つシール２００の内周面が挿入された雄コネクタＣ２の先端部Ｃ２１の外周面に密着可能になっている。
２）シール２００は複数であって、第１収容部１１０ａ内に環状に収容保持される構成とすることが可能である。この場合、複数のシール２００の外面が第１収容部１１０ａの周壁面１１１ａに密着しており、複数のシール２００の内側に雄コネクタＣ２の先端部Ｃ２１が挿入可能であり、且つシール２００の内面が挿入された雄コネクタＣ２の先端部Ｃ２１の外周面にそれぞれ密着可能になっている。
【００２７】
第２ボディ１００ｂは、貫通孔１１０ｂと、貫通孔１１０ｂの周壁１２０ｂと、少なくとも一つの当て止め部１３０ｂとを有している。貫通孔１１０ｂは、第２ボディ１００ｂをＹ−Ｙ’方向に貫通している。第２ボディ１００ｂは第２収容部１２０ａ内に固定された状態で、貫通孔１１０ｂは、接続穴１０１の第１収容部１１０ａよりＹ’方向側の部分（すなわち、接続穴１０１の一部）を構成する。貫通孔１１０ｂの周壁１２０ｂはＹ−Ｙ’方向に延びる筒状の壁である。少なくとも一つの当て止め部１３０ｂは、周壁１２０ｂに設けられた突起、突脈または周壁１２０ｂのＹ方向の端部（換言すると、貫通孔１１０ｂのＹ方向の縁部）であって、少なくとも一つのシール２００に対してＹ’方向側に位置し、当該シール２００にＹ’方向側から間隙を有して対向または当接している。この当て止め部１３０ｂによって、少なくとも一つのシール２００のＹ’方向側への移動が規制される。なお、図２Ａ〜図２Ｅおよび図４Ａ〜図４Ｂでは、当て止め部１３０ｂは、周壁１２０ｂのＹ方向の端部から当該周壁１２０ｂの内側に延びたＺ−Ｚ’方向において断面視略Ｕ字状の突脈である。
【００２８】
少なくとも一つの当て止め部１３０ｂが突起または突脈である場合、当て止め部１３０ｂは、Ｙ方向側から雄コネクタＣ２の段部Ｃ２２に当接可能な構成とすることが可能である（図５参照）が、これに限定されるものではない。また、少なくとも一つの当て止め部１３０ｂおよび周壁１２０ｂは、接続穴１０１の貫通孔１１０ｂ内で雄コネクタＣ２の段部Ｃ２２を保持可能な構成とすることが可能であるが、これに限定されるものではない。
【００２９】
接続穴１０１は、少なくとも第２ボディ１００ｂの貫通孔１１０ｂおよび第１ボディ１００ａの第１収容部１１０ａを有している。貫通孔１１０ｂと第１収容部１１０ａとは図２Ａ〜図２Ｅに示されるように互いに直接連通していても良いし、接続穴１０１の一部を構成する別の穴を通じて間接的に連通していても良い。第２当接部１４０ａが壁である場合には、第２当接部１４０ａに保持穴１４１ａが設けられていても良い。保持穴１４１ａは、接続穴１０１の接続穴１０１の第１収容部１１０ａよりＹ方向側の部分（すなわち、接続穴１０１の一部）であって、第１収容部１１０ａに連通している。この場合、接続穴１０１は、少なくとも第２ボディ１００ｂの貫通孔１１０ｂ、第１ボディ１００ａの第１収容部１１０ａおよび保持穴１４１ａを有する。第１当接部１３０ａが壁である場合には、第１当接部１３０ａに開口１３１ａが設けられていても良い。この開口１３１ａは、第１当接部１３０ａをＹ−Ｙ’方向に貫通しており且つ第２ボディ１００ｂの貫通孔１１０ｂのＹ’方向側に位置する。この場合、接続穴１０１は、少なくとも開口１３１ａ、第２ボディ１００ｂの貫通孔１１０ｂおよび第１ボディ１００ａの第１収容部１１０ａを有する。開口１３１ａと貫通孔１１０ｂとは図２Ａ〜図２Ｅに示されるように互いに直接連通していても良いし、接続穴１０１の一部を構成する別の穴を通じて間接的に連通していても良い。なお、図２Ａ〜図２Ｅでは、接続穴１０１は、開口１３１ａ、第２ボディ１００ｂの貫通孔１１０ｂ、第１ボディ１００ａの第１収容部１１０ａおよび保持穴１４１ａを有している。
【００３０】
第２当接部１４０ａは、接続穴１０１内に挿入された雄コネクタＣ２の先端部Ｃ２１を第２ボディ１００ｂのＹ方向側で保持可能な構成とすることが可能である。例えば、第２当接部１４０ａの保持穴１４１ａの周壁面１４１ａ１が、雄コネクタＣ２の先端部Ｃ２１の外周面の形状に対応した円環状または多角環状であって、先端部Ｃ２１の外周面に当接可能な構成とすることが可能である。この場合、保持穴１４１ａの周壁面１４１ａ１が雄コネクタＣ２の先端部Ｃ２１の外周面に当接することによって、当該先端部Ｃ２１を保持する。さらに、保持穴１４１ａの周壁面１４１ａ１に直交するＹ方向側の壁面１４１ａ２が、雄コネクタＣ２の先端部Ｃ２１の先端面（Ｙ方向側の端面）にＹ方向側から当接可能としても良い。この場合、保持穴１４１ａの周壁面１４１ａ１が雄コネクタＣ２の先端部Ｃ２１の外周面に当接し、および／または保持穴１４１ａの壁面１４１ａ２が雄コネクタＣ２の先端部Ｃ２１の先端面に当接することによって、当該先端部Ｃ２１を保持する。
【００３１】
第１当接部１３０ａは、接続穴１０１内に挿入された雄コネクタＣ２の先端部Ｃ２１および段部Ｃ２２からＹ’方向に遠い部分（以下、遠部Ｃ２３）を第２ボディ１００ｂのＹ’方向側で保持可能な構成とすることが可能である。例えば、第１当接部１３０ａの開口１３１ａの内縁部は、雄コネクタＣ２の遠部Ｃ２３の外周面の形状に対応した円環状または多角環状であって、遠部Ｃ２３の外周面に当接可能な構成とすることが可能である。この場合、第１当接部１３０ａの開口１３１ａの内縁部が雄コネクタＣ２の遠部Ｃ２３の外周面に当接することによって、当該遠部Ｃ２３を保持する。なお、図５では、第２当接部１４０ａ、第１当接部１３０ａが、接続穴１０１内に挿入された雄コネクタＣ２の先端部Ｃ２１、遠部Ｃ２３を第２ボディ１００ｂのＹ方向側、Ｙ’方向側でそれぞれ保持している。
【００３２】
第１ボディ１００ａおよび／または第２ボディ１００ｂは、少なくとも一つの係合部１００ｃをさらに有する構成とすることが可能である。少なくとも一つの係合部１００ｃは、以下の１）〜４）の何れかの構成とすることが可能である。
１）少なくとも一つの係合部１００ｃは、第１ボディ１００ａの接続穴１０１の一部の周壁および／または第２ボディ１００ｂの貫通孔１１０ｂの周壁１２０ｂがカットされ、Ｙ−Ｙ’方向に延びたアームの先端部に設けられた係合凸部であって、雄コネクタＣ２の係合凹部に係合可能である（図１〜図５参照）。
２）少なくとも一つの係合部１００ｃは、前記アームの先端部に係合凸部の代りに設けられた係合凹部であって、雄コネクタＣ２の係合凸部が係合可能である。
３）少なくとも一つの係合部１００ｃは、第１ボディ１００ａの接続穴１０１の一部の周壁および／または第２ボディ１００ｂの貫通孔１１０ｂの周壁１２０ｂに設けられた係合凸部であって、雄コネクタＣ２の係合凹部に係合可能である。
４）少なくとも一つの係合部１００ｃは、第１ボディ１００ａの接続穴１０１の一部の周壁および／または第２ボディ１００ｂの貫通孔１１０ｂの周壁１２０ｂに設けられた係合凹部であって、雄コネクタＣ２の係合凸部が係合可能である。なお、３）および４）の場合、雄コネクタＣ２を抜きやすくするために、係合部１００ｃ自体が弾性体で構成されていても良い。
【００３３】
第１ボディ１００ａおよび／または第２ボディ１００ｂは、少なくとも一つのガイド部１００ｄをさらに有する構成とすることが可能である。少なくとも一つのガイド部１００ｄは、以下の１）または２）の何れかの構成とすることが可能である。
１）少なくとも一つのガイド部１００ｄは、第１ボディ１００ａの接続穴１０１の一部の周壁および／または第２ボディ１００ｂの貫通孔１１０ｂの周壁１２０ｂ上に設けられ且つＹ−Ｙ’方向に延びたガイド凸部であって、雄コネクタＣ２のガイド凹部に挿入可能である。なお、図１〜図５参照では、第２ボディ１００ｂの貫通孔１１０ｂの周壁１２０ｂのＺ’方向側の部分、Ｘ方向側の部分およびＸ’方向側の部分上でガイド部１００ｄがＹ−Ｙ’方向に延びている。
２）少なくとも一つのガイド部１００ｄは、第１ボディ１００ａの接続穴１０１の一部の周壁および／または第２ボディ１００ｂの貫通孔１１０ｂの周壁１２０ｂ上に設けられ且つＹ−Ｙ’方向に延びたガイド凹部であって、雄コネクタＣ２のガイド凸部が挿入可能である。なお、少なくとも一つのガイド部１００ｄが、雄コネクタＣ２のガイド溝またはガイド凸部にガイドされることによって、雄コネクタＣ２の接続穴１０１内への誤挿入が防止される。少なくとも一つのガイド部１００ｄに代えて、雄コネクタＣ２の接続穴１０１内への誤挿入を防止するためのキー部（突起または凹部）が第１ボディ１００ａの接続穴１０１の一部の周壁および／または第２ボディ１００ｂの貫通孔１１０ｂの周壁１２０ｂ上に設けられていても良い。
【００３４】
雌コネクタＣ１は、少なくとも一つの端子３００をさらに備えている。少なくとも一つの端子３００は、当該端子３００の接触部３１０が接続穴１０１内に挿入された雄コネクタＣ２の端子Ｃ２４に接触可能となるようにボディ１００の接続穴１０１内に収容されていれば良い。なお、図１〜図５では、雌コネクタＣ１は、絶縁樹脂製のホルダ４００と、金属製のシェル５００とをさらに備えている。端子３００は複数であって、ホルダ４００に保持され、このホルダ４００および端子３００が、シェル５００内に収容保持されている。このシェル５００は、その一部が第２ボディ１００ｂの貫通孔１１０ｂ内に位置し且つ少なくとも一つのシール２００内に挿通されるように、第１ボディ１００ａの保持穴１４１ａに連通する筒部内に収容保持されている。なお、端子３００は、第２ボディ１００ｂの貫通孔１１０ｂ内に位置するように、第１ボディ１００ａに直接保持されていても良い。この場合、ホルダ４００およびシェル５００は省略される。
【００３５】
雌コネクタＣ１は、端子３００の数に応じた数のケーブル６００をさらに備えていても良い。端子３００が一つである場合、ケーブル６００は端子３００の接続部３２０に接続されている。端子３００が複数である場合、ケーブル６００は、端子３００の数と同じ数であって、端子３００の接続部３２０に各々接続されている。ケーブル６００は図１〜図２Ｅに示されるように束ねられ、複合ケーブルとすることが可能である。この場合、ケーブル６００は、筒状のシールド導体に覆われ、このシールド導体が筒状の外側絶縁に覆われている。少なくとも一つのケーブル６００は、第１ボディ１００ａの筒部を通じて第１ボディ１００ａ外に導出している。なお、ケーブル６００は省略可能であり、この場合、少なくとも一つの端子３００の接続部３２０はボディ１００外に配置され、図示しない基板の電極に接続可能な構成とすることも可能である。
【００３６】
以下、雌コネクタＣ１の組み立て手順について詳しく説明する。上記したように少なくとも一つの端子３００を保持した第１ボディ１００ａを用意し、且つ少なくとも一つのシール２００を用意する。第１ボディ１００ａの第１収容部１１０ａ内にＹ’方向側から少なくとも一つのシール２００を挿入する。その後、第２ボディ１００ｂを用意する。この第２ボディ１００ｂを第１ボディ１００ａの第２収容部１２０ａ内にＺ方向側から挿入し、収容させる（以下、収容時）。すると、第１ボディ１００ａの第１当接部１３０ａ、第２当接部１４０ａが第２ボディ１００ｂにＹ’方向側、Ｙ方向側から各々当接する。このようにして第２ボディ１００ｂが第１ボディ１００ａにＹ−Ｙ’方向において位置規制される。前記収容時において、第２ボディ１００ｂの少なくとも一つの当て止め部１３０ｂが少なくとも一つのシール２００のＹ’方向側に位置し、第２ボディ１００ｂの貫通孔１１０ｂが第１収容部１１０ａに直接的または間接的に連通する。第１当接部１３０ａが開口１３１ａを有している場合、前記収容時において、第２ボディ１００ｂの貫通孔１１０ｂが開口１３１ａに直接的または間接的に連通する。以上のとおりに雌コネクタＣ１が組み立てられる。
【００３７】
以上のような雌コネクタＣ１は、以下の技術的特徴および効果を奏する。１）雌コネクタＣ１の第２ボディ１００ｂがＹ’方向に脱落する可能性を低減することができる。その理由は以下のとおりである。雌コネクタＣ１の接続穴１０１内に雄コネクタＣ２が挿入された状態（すなわち、雄コネクタＣ２の先端部Ｃ２１が少なくとも一つのシール２００内に挿入され、当該シール２００が雄コネクタＣ２の先端部Ｃ２１の外周面に密着した状態（以下、挿入状態））で、雄コネクタＣ２がＹ’方向に引っ張られる。このとき、少なくとも一つのシール２００にＹ’方向の荷重がかかり、この荷重は少なくとも一つのシール２００を介して第２ボディ１００ｂの少なくとも一つの当て止め部１３０ｂにもかかる。しかし、第２ボディ１００ｂは、第１ボディ１００ａの第２収容部１２０ａ内にＺ方向側から挿入され、第１ボディ１００ａの第１、第２当接部１３０ａ、１４０ａによってＹ−Ｙ’方向において位置固定されている。そのため、第２収容部１２０ａがＹ’方向の荷重によって第１ボディ１００ａからＹ’方向側に脱落する可能性が低減される。
【００３８】
２）環状のシール２００が第１ボディ１００ａの第１収容部１１０ａ内に収容され且つシール２００の外周面が第１収容部１１０ａの周壁面１１１ａに密着している場合、または、複数のシール２００が第１ボディ１００ａの第１収容部１１０ａ内に環状に収容され且つシール２００の外周面が第１収容部１１０ａの周壁面１１１ａに各々密着している場合、第２ボディ１００ｂを第１ボディ１００ａの第２収容部１２０ａ内に収容させるだけで、第２ボディ１００ｂの少なくとも一つの当て止め部１３０ｂを環状のシール２００または複数のシール２００のＹ’方向側に容易に配置することができる。少なくとも一つの当て止め部１３０ｂは、第２ボディ１００ｂの貫通孔１１０ｂの周壁１２０ｂに設けられた突起、周壁１２０ｂに設けられた突脈または周壁１２０ｂのＹ方向の端部であるからである。
【００３９】
３）上記接続状態で、雄コネクタＣ２がこじられる（雄コネクタＣ２をＹ−Ｙ’方向に交差する方向に移動させるように操作される）と、雄コネクタＣ２の移動により第１ボディ１００ａおよび第２ボディ１００ｂに負荷がかかる。しかし、上記接続状態で、第２当接部１４０ａ、第１当接部１３０ａが雄コネクタＣ２の先端部Ｃ２１、遠部Ｃ２３を第２ボディ１００ｂのＹ方向側、Ｙ’方向側でそれぞれ保持しているので、当該負荷が第２当接部１４０ａ、第１当接部１３０ａに分散し、第２ボディ１００ｂにかかる負荷が軽減される。
【００４０】
４）雌コネクタＣ１の第２ボディ１００ｂが係合部１００ｃを有する場合、雌コネクタＣ１のＹ’方向の引っ張り強度が向上する。その理由は以下のとおりである。上記接続状態で、係合部１００ｃが雄コネクタＣ２の係合凹部または係合凸部に係合する。この状態で雄コネクタＣ２がＹ’方向に引っ張られると、係合部１００ｃにＹ’方向の負荷がかかるが、上記した通り、第２ボディ１００ｂは第１ボディ１００ａの第１、第２当接部１３０ａ、１４０ａによってＹ−Ｙ’方向において位置固定されているため、係合部１００ｃ付きの第２ボディ１００ｂがＹ’方向に移動したり第１ボディ１００ａからＹ’方向に脱落したりする可能性が低減される。
【００４１】
５）雌コネクタＣ１の第１ボディ１００ａが係合部１００ｃを有する場合、上記接続状態で、雄コネクタＣ２がＹ’方向に引っ張られたときに、第２ボディ１００ｂにかかる負荷が軽減される。係合部１００ｃが第２ボディ１００ｂではなく、第１ボディ１００ａに設けられているため、前記負荷が係合部１００ｃを通じて第２ボディ１００ｂにかからない。
【００４２】
６）雌コネクタＣ１の第２ボディ１００ｂが、係合部１００ｃ、ガイド部１００ｄおよび／またはキー部を有する場合、第２ボディ１００ｂを交換するだけで、雌コネクタＣ１は複数種類の雄コネクタを係合、ガイド、および／または誤挿入を防止したりすることができる。具体的には、第２ボディ１００ｂを、別の態様の係合部１００ｃ、ガイド部１００ｄおよび／またはキー部を有する別の第２ボディ１００ｂに交換する。別の第２ボディ１００ｂの別の態様の係合部１００ｃは、雄コネクタＣ２とは別の雄コネクタの係合凹部または係合凸部に対応しているので、別の態様の係合部１００ｃは、別の雄コネクタの係合凹部または係合凸部を上記接続状態で係合することができる。また、別の第２ボディ１００ｂの別の態様のガイド部１００ｄは、雄コネクタＣ２とは別の雄コネクタのガイド凹部またはガイド凸部に対応しているので、別の態様のガイド部１００ｄは、挿入時に別の雄コネクタのガイド凹部またはガイド凸部をガイドできる。別の態様のキー部は、挿入時に別の雄コネクタのキー溝またはキー用の突起に嵌合するので、別の雄コネクタ以外のコネクタの誤挿入が防止される。
【００４３】
なお、本発明の雌コネクタは、上記実施例に限定されるものではなく、特許請求の範囲の記載範囲において任意に設計変更することが可能である。以下、詳しく述べる。
【００４４】
本発明の第１当接部は、接続穴内に挿入された雄コネクタの遠部を第２ボディのＹ’方向側で保持しない構成とすることが可能である。例えば、第１当接部が凸部または爪である場合または第１当接部の開口が省略される場合、接続穴内に挿入された雄コネクタの遠部を保持しない構成とすることが可能である。本発明の第２当接部は、接続穴内に挿入された雄コネクタの先端部を第２ボディのＹ方向側で保持しない構成とすることが可能である。例えば、第２当接部が凸部または爪である場合または第２当接部の保持穴が省略された場合、接続穴内に挿入された雄コネクタの先端部を保持しない構成とすることが可能である。なお、本発明のシールおよび当て止め部は省略可能である。
【００４５】
なお、上記実施例の各態様および設計変形例における雌コネクタの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向は、本発明の雄コネクタの挿脱方向である限り任意に設定可能である。本発明の第２方向は、第１方向に交差する限り任意に設定可能である。
【符号の説明】
【００４６】
Ｃ１：雌コネクタ
１００：ボディ
１０１：接続穴
１００ａ：第１ボディ
１１０ａ：第１収容部
１２０ａ：第２収容部
１３０ａ：第１当接部
１３１ａ：開口
１４０ａ：第２当接部
１４１ａ：保持穴
１００ｂ：第２ボディ
１１０ｂ  ：貫通孔
１２０ｂ：周壁
１３０ｂ：当て止め部
１００ｃ：係合部
１００ｄ：ガイド部
２００：シール
３００：端子
３１０：接触部
３２０：接続部
４００：ホルダ
５００：シェル
６００：ケーブル
Ｃ２：雄コネクタ
Ｃ２１：先端部
Ｃ２２：段部
Ｃ２３：遠部
Ｃ２４：端子
【図１】
2018156853.tif 000003
【図２Ａ】
2018156853.tif 000004
【図２Ｂ】
2018156853.tif 000005
【図２Ｃ】
2018156853.tif 000006
【図２Ｄ】
2018156853.tif 000007
【図２Ｅ】
2018156853.tif 000008
【図３】
2018156853.tif 000009
【図４Ａ】
2018156853.tif 000010
【図４Ｂ】
2018156853.tif 000011
【図５】
2018156853.tif 000012
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
雄コネクタが第１方向において挿脱可能な接続穴を有するボディと、
シールとを備えており、
前記第１方向の一方は前記雄コネクタの前記ボディに対する挿入方向であり、前記第１方向の他方は前記雄コネクタの前記ボディに対する脱方向であり、
前記ボディは、第１ボディおよび第２ボディを有しており、
前記第１ボディは、前記接続穴の一部であって、前記シールが前記接続穴内に挿入された前記雄コネクタに前記第１方向に直交する方向から密着するように当該シールを収容する第１収容部と、
前記第１ボディの前記第１収容部よりも前記第１方向の他方側の部分に設けられた空間である第２収容部とを有しており、
前記第２ボディは、前記第２収容部内に前記第１方向に交差する第２方向の一方側から挿入され、前記第１ボディによって前記第１方向において位置固定されており、
前記第２ボディは、前記接続穴の前記第１収容部より前記第１方向の他方側に位置する部分であって、当該第２ボディを前記第１方向に貫通した貫通孔と、
前記シールの前記第１方向の他方側に位置する当て止め部とを有している雌コネクタ。
【請求項２】
請求項１記載の雌コネクタにおいて、
前記シールは、その内側に前記雄コネクタが挿入される環状体であり、または、複数であって、その内側に前記雄コネクタが挿入されるように前記第１収容部内に環状に配置されており、
前記第２ボディは、前記貫通孔の周壁をさらに有しており、
前記当て止め部は、前記第２ボディの前記周壁に設けられている雌コネクタ。
【請求項３】
請求項１または２記載の雌コネクタにおいて、
前記第１ボディは、第１当接部をさらに有しており、
前記第１当接部は、前記第２収容部よりも前記第１方向の他方側に位置しており、且つ前記第２収容部に収容された前記第２ボディに前記第１方向の他方側から当接している雌コネクタ。
【請求項４】
請求項３記載の雌コネクタにおいて、
前記第１ボディは、第２当接部をさらに有しており、
前記第２当接部は、前記第２収容部よりも前記第１方向の一方側に位置しており、且つ前記第２収容部に収容された前記第２ボディに前記第１方向の一方側から当接しており、
前記第２当接部が前記接続穴内に挿入された前記雄コネクタを前記第２ボディの前記第１方向の一方側で保持可能であり且つ前記第１当接部が当該雄コネクタを前記第２ボディの前記第１方向の他方側で保持可能になっている雌コネクタ。
【請求項５】
請求項１〜４の何れかに記載の雌コネクタにおいて、
前記第２ボディは、前記貫通孔に隣接配置されており且つ前記接続穴内に挿入された前記雄コネクタに係合する係合部をさらに有している雌コネクタ。
【請求項６】
請求項１〜５の何れかに記載の雌コネクタにおいて、
前記第１ボディは、前記接続穴内に挿入された前記雄コネクタに係合する係合部をさらに有している雌コネクタ。
【請求項７】
請求項１〜６の何れかに記載の雌コネクタにおいて、
前記第２ボディは、前記貫通孔の周壁をさらに有しており、
前記貫通孔の前記周壁には、前記第１方向に延びたガイド部が設けられており、前記ガイド部は、前記雄コネクタのガイド溝に挿入可能なガイド凸部、または前記雄コネクタのガイド凸部が挿入可能なガイド溝である雌コネクタ。
【手続補正２】
【補正対象書類名】明細書
【補正対象項目名】００１９
【補正方法】変更
【補正の内容】
【００１９】
このような態様の雌コネクタによる場合、第２ボディにガイド部が設けられているため、第２ボディを交換するだけで、異なる雄コネクタのガイド凸部またはガイド溝に対応できる。
【手続補正３】
【補正対象書類名】明細書
【補正対象項目名】００２０
【補正方法】変更
【補正の内容】
【００２０】
【図１】本発明の実施例１に係る雌コネクタの正面、平面および右側面から表した斜視図である。
【図２Ａ】前記雌コネクタの図１中の２Ａ−２Ａ断面図である。
【図２Ｂ】前記雌コネクタの図１中の２Ｂ−２Ｂ断面図である。
【図２Ｃ】前記雌コネクタの図１中の２Ｃ−２Ｃ断面図である。
【図２Ｄ】前記雌コネクタの図１中の２Ｄ−２Ｄ断面図である。
【図２Ｅ】前記雌コネクタの図１中の２Ｅ−２Ｅ断面図である。
【図３】前記雌コネクタの第１ボディの正面、平面および左側面から表した斜視図である。
【図４Ａ】前記雌コネクタの第２ボディの正面、底面および左側面から表した斜視図である。
【図４Ｂ】前記雌コネクタの第２ボディの背面、平面および左側面から表した斜視図である。
【図５】本発明の実施例１に係る雌コネクタと雄コネクタとの接続状態を示す図２Ｄに対応する断面図である。
【手続補正４】
【補正対象書類名】明細書
【補正対象項目名】００２１
【補正方法】変更
【補正の内容】
【００２１】
以下、本発明の実施例１を含む複数の実施例に係る雌コネクタＣ１について図１〜図５を参照しつつ説明する。図１〜図５には、実施例１に係る雌コネクタＣ１が示されており、図５には実施例１に係る雌コネクタＣ１および雄コネクタＣ２の接続状態が示されている。なお、図１〜図２Ｄに示すＹ−Ｙ’方向は、雄コネクタＣ２の雌コネクタＣ１の接続穴１０１に対する挿脱方向であり且つ特許請求の範囲の第１方向に相当する。Ｙ−Ｙ’方向のうちのＹ方向は、雄コネクタＣ２の雌コネクタＣ１の接続穴１０１に対する挿入方向であり且つ第１方向の一方に相当し、Ｙ’方向は雄コネクタＣ２の雌コネクタＣ１の接続穴１０１に対する脱方向であり且つ第１方向の他方に相当する。図１〜図２Ａおよび図２Ｄ〜図２Ｅに示すＺ−Ｚ’方向は、Ｙ−Ｙ’方向に直交する方向であり且つ特許請求の範囲の第２方向に相当する。Ｚ−Ｚ’方向のうちのＺ方向は第２方向の一方に相当し、Ｚ’方向は第２方向の他方に相当する。図１、図２Ｂ、図２Ｃおよび図２Ｅに示すＸ−Ｘ’方向は、Ｙ−Ｙ’方向およびＺ−Ｚ’方向に直交する方向である。
【手続補正５】
【補正対象書類名】明細書
【補正対象項目名】００２６
【補正方法】変更
【補正の内容】
【００２６】
少なくとも一つのシール２００は、シリコンゴム等の弾性体で構成されており且つ接続穴１０１内に挿入された雄コネクタＣ２の先端部Ｃ２１にＹ−Ｙ’方向に直交する方向から密着するように第１収容部１１０ａ内に収容されている。例えば、少なくとも一つのシール２００は、下記の１）または２）の構成とすることが可能である。
１）少なくとも一つのシール２００は、円環状（図２Ａ〜図２Ｅ参照）または多角環状とすることが可能である。この場合、シール２００の外形寸法は、第１収容部１１０ａの外形寸法と略同じまたは若干大きい。これにより、シール２００の外周面が第１収容部１１０ａの周壁面１１１ａに密着している。シール２００の内形寸法は、雄コネクタＣ２の先端部Ｃ２１の外形寸法と略同じまたは若干小さい。このため、図５に示されるようにシール２００内に雄コネクタＣ２の先端部Ｃ２１が挿入可能であり、且つシール２００の内周面が挿入された雄コネクタＣ２の先端部Ｃ２１の外周面に密着可能になっている。
２）シール２００は複数であって、第１収容部１１０ａ内に環状に収容保持される構成とすることが可能である。この場合、複数のシール２００の外面が第１収容部１１０ａの周壁面１１１ａに密着しており、複数のシール２００の内側に雄コネクタＣ２の先端部Ｃ２１が挿入可能であり、且つシール２００の内面が挿入された雄コネクタＣ２の先端部Ｃ２１の外周面にそれぞれ密着可能になっている。
【手続補正６】
【補正対象書類名】明細書
【補正対象項目名】００２９
【補正方法】変更
【補正の内容】
【００２９】
接続穴１０１は、少なくとも第２ボディ１００ｂの貫通孔１１０ｂおよび第１ボディ１００ａの第１収容部１１０ａを有している。貫通孔１１０ｂと第１収容部１１０ａとは図２Ａ〜図２Ｅに示されるように互いに直接連通していても良いし、接続穴１０１の一部を構成する別の穴を通じて間接的に連通していても良い。第２当接部１４０ａが壁である場合には、第２当接部１４０ａに保持穴１４１ａが設けられていても良い。保持穴１４１ａは、接続穴１０１の第１収容部１１０ａよりＹ方向側の部分（すなわち、接続穴１０１の一部）であって、第１収容部１１０ａに連通している。この場合、接続穴１０１は、少なくとも第２ボディ１００ｂの貫通孔１１０ｂ、第１ボディ１００ａの第１収容部１１０ａおよび保持穴１４１ａを有する。第１当接部１３０ａが壁である場合には、第１当接部１３０ａに開口１３１ａが設けられていても良い。この開口１３１ａは、第１当接部１３０ａをＹ−Ｙ’方向に貫通しており且つ第２ボディ１００ｂの貫通孔１１０ｂのＹ’方向側に位置する。この場合、接続穴１０１は、少なくとも開口１３１ａ、第２ボディ１００ｂの貫通孔１１０ｂおよび第１ボディ１００ａの第１収容部１１０ａを有する。開口１３１ａと貫通孔１１０ｂとは図２Ａ〜図２Ｅに示されるように互いに直接連通していても良いし、接続穴１０１の一部を構成する別の穴を通じて間接的に連通していても良い。なお、図２Ａ〜図２Ｅでは、接続穴１０１は、開口１３１ａ、第２ボディ１００ｂの貫通孔１１０ｂ、第１ボディ１００ａの第１収容部１１０ａおよび保持穴１４１ａを有している。
【手続補正７】
【補正対象書類名】明細書
【補正対象項目名】００３３
【補正方法】変更
【補正の内容】
【００３３】
第１ボディ１００ａおよび／または第２ボディ１００ｂは、少なくとも一つのガイド部１００ｄをさらに有する構成とすることが可能である。少なくとも一つのガイド部１００ｄは、以下の１）または２）の何れかの構成とすることが可能である。
１）少なくとも一つのガイド部１００ｄは、第１ボディ１００ａの接続穴１０１の一部の周壁および／または第２ボディ１００ｂの貫通孔１１０ｂの周壁１２０ｂ上に設けられ且つＹ−Ｙ’方向に延びたガイド凸部であって、雄コネクタＣ２のガイド溝に挿入可能である。なお、図１〜図５では、第２ボディ１００ｂの貫通孔１１０ｂの周壁１２０ｂのＺ’方向側の部分、Ｘ方向側の部分およびＸ’方向側の部分上でガイド部１００ｄがＹ−Ｙ’方向に延びている。
２）少なくとも一つのガイド部１００ｄは、第１ボディ１００ａの接続穴１０１の一部の周壁および／または第２ボディ１００ｂの貫通孔１１０ｂの周壁１２０ｂ上に設けられ且つＹ−Ｙ’方向に延びたガイド溝であって、雄コネクタＣ２のガイド凸部が挿入可能である。なお、少なくとも一つのガイド部１００ｄが、雄コネクタＣ２のガイド溝またはガイド凸部にガイドされることによって、雄コネクタＣ２の接続穴１０１内への誤挿入が防止される。少なくとも一つのガイド部１００ｄに代えて、雄コネクタＣ２の接続穴１０１内への誤挿入を防止するためのキー部（突起または凹部）が第１ボディ１００ａの接続穴１０１の一部の周壁および／または第２ボディ１００ｂの貫通孔１１０ｂの周壁１２０ｂ上に設けられていても良い。
【手続補正８】
【補正対象書類名】明細書
【補正対象項目名】００３７
【補正方法】変更
【補正の内容】
【００３７】
以上のような雌コネクタＣ１は、以下の技術的特徴および効果を奏する。１）雌コネクタＣ１の第２ボディ１００ｂがＹ’方向に脱落する可能性を低減することができる。その理由は以下のとおりである。雌コネクタＣ１の接続穴１０１内に雄コネクタＣ２が挿入された状態（すなわち、雄コネクタＣ２の先端部Ｃ２１が少なくとも一つのシール２００内に挿入され、当該シール２００が雄コネクタＣ２の先端部Ｃ２１の外周面に密着した状態（以下、挿入状態））で、雄コネクタＣ２がＹ’方向に引っ張られる。このとき、少なくとも一つのシール２００にＹ’方向の荷重がかかり、この荷重は少なくとも一つのシール２００を介して第２ボディ１００ｂの少なくとも一つの当て止め部１３０ｂにもかかる。しかし、第２ボディ１００ｂは、第１ボディ１００ａの第２収容部１２０ａ内にＺ方向側から挿入され、第１ボディ１００ａの第１、第２当接部１３０ａ、１４０ａによってＹ−Ｙ’方向において位置固定されている。そのため、第２ボディ１００ｂがＹ’方向の荷重によって第１ボディ１００ａからＹ’方向側に脱落する可能性が低減される。
【手続補正９】
【補正対象書類名】明細書
【補正対象項目名】００４２
【補正方法】変更
【補正の内容】
【００４２】
６）雌コネクタＣ１の第２ボディ１００ｂが、係合部１００ｃ、ガイド部１００ｄおよび／またはキー部を有する場合、第２ボディ１００ｂを交換するだけで、雌コネクタＣ１は複数種類の雄コネクタを係合、ガイド、および／または誤挿入を防止したりすることができる。具体的には、第２ボディ１００ｂを、別の態様の係合部１００ｃ、ガイド部１００ｄおよび／またはキー部を有する別の第２ボディ１００ｂに交換する。別の第２ボディ１００ｂの別の態様の係合部１００ｃは、雄コネクタＣ２とは別の雄コネクタの係合凹部または係合凸部に対応しているので、別の態様の係合部１００ｃは、別の雄コネクタの係合凹部または係合凸部を上記接続状態で係合することができる。また、別の第２ボディ１００ｂの別の態様のガイド部１００ｄは、雄コネクタＣ２とは別の雄コネクタのガイド溝またはガイド凸部に対応しているので、別の態様のガイド部１００ｄは、挿入時に別の雄コネクタのガイド溝またはガイド凸部をガイドできる。別の態様のキー部は、挿入時に別の雄コネクタのキー溝またはキー用の突起に嵌合するので、別の雄コネクタ以外のコネクタの誤挿入が防止される。
【手続補正１０】
【補正対象書類名】図面
【補正対象項目名】図２Ｃ
【補正方法】変更
【補正の内容】
【図２Ｃ】
2018156853.tif 000013